(57)【要約】【課題】人等の移動体の位置についての詳細を簡易かつ確実に把握できる移動経過監視システムを提供すること。【解決手段】携帯通信端末ＭＴが各エリアに設置されている無線アクセスポイントＡＰとの通信を自動的に行うことで、携帯通信端末ＭＴを所持する人等の移動体の位置についての情報を確実に取得し、取得した情報である携帯通信端末ＭＴの無線アクセスポイントＡＰへの通信結果に基づいて、データ管理部である中央管理装置５０において、携帯通信端末ＭＴの移動履歴データを管理することで、携帯通信端末ＭＴを保有する人等の移動体の位置についての詳細を、簡易かつ確実に把握できる。【選択図】図１
2019186678.tif 000002
【特許請求の範囲】
【請求項１】
所定エリアごとにそれぞれ設けられて、各対応エリア内において通信を可能にする複数の無線アクセスポイントと、
各対応エリア内に設置された前記無線アクセスポイントとの通信を自動的に行う携帯通信端末と、
前記携帯通信端末の前記無線アクセスポイントへの通信結果に基づく前記携帯通信端末の移動履歴データを管理するデータ管理部と
を備える、移動経過監視システム。
【請求項２】
前記データ管理部は、前記携帯通信端末の移動履歴データに関して、前記携帯通信端末と前記無線アクセスポイントとの通信開始時を、当該無線アクセスポイントに対応する対応エリア内への入場時刻として取り扱う、請求項１に記載の移動経過監視システム。
【請求項３】
前記データ管理部は、前記携帯通信端末の移動履歴データに関して、前記携帯通信端末と前記無線アクセスポイントとの通信終了時を、当該無線アクセスポイントに対応する対応エリア内からの退場時刻として取り扱う、請求項１及び２のいずれか一項に記載の移動経過監視システム。
【請求項４】
前記データ管理部は、前記携帯通信端末の移動履歴データを、予め登録されている送付先に対して送信する送信部を備える、請求項１〜３のいずれか一項に記載の移動経過監視システム。
【請求項５】
前記データ管理部は、前記携帯通信端末についてのＩＤ情報に対応する送付先の登録を受け付ける送付先登録受付部を備え、前記送付先登録受付部において予め登録されている送付先に該当する前記携帯通信端末の移動履歴データがある場合に、前記送信部により当該送付先に対して送信する、請求項４に記載の移動経過監視システム。
【請求項６】
前記データ管理部は、予め登録されている送付先からデータ送信の要請を受けた場合に、前記携帯通信端末の移動履歴データの送信を開始し、予め登録されている送付先からデータ送信の停止要請を受けた場合に、前記携帯通信端末の移動履歴データの送信を停止する、請求項４及び５のいずれか一項に記載の移動経過監視システム。
【請求項７】
前記データ管理部は、複数の前記携帯通信端末の移動履歴データを一括管理する、請求項１〜６のいずれか一項に記載の移動経過監視システム。
【発明の詳細な説明】
【技術分野】
【０００１】
本発明は、例えば人等の移動体の移動経過を監視するための移動経過監視システムに関する。
【背景技術】
【０００２】
近年、例えば子供の通学や通園に際する安全性の確保という観点から、子供の存在位置を把握したい、といった要請がある。
【０００３】
これに対して、例えば人等の移動体の位置を詳細に把握するための装置等として、ＲＦＩＤを利用するもの（特許文献１参照）が知られている。すなわち、種々の場所に無線ＩＤリーダを設けることで、タグＩＤを付けた移動体の位置を検知して、移動体の位置情報を提供するものが知られている。
【０００４】
しかしながら、上記特許文献１のように、ＲＦＩＤを利用する場合、ＩＤリーダとタグＩＤとの通信可能な距離は非常に限られており、例えば、タグＩＤをＩＤリーダの設置箇所まで持って行って翳す、といったことをしなければＩＤリーダ側でタグＩＤを把握できないことになる。つまり、上記の例では、子供が自ら所持するタグＩＤをＩＤリーダに翳すことが必要となる。この場合、翳すのを忘れたりわざと翳さなかったりして、思ったような位置の把握ができなくなる、いったことが考えられる。また、ＧＰＳ機能を利用することも考えられるが、位置把握精度や、移動体に取り付ける機器のＧＰＳ機能維持のための電力消耗等の観点から必ずしも簡易かつ確実に位置把握ができるとは限らない。
【先行技術文献】
【特許文献】
【０００５】
【特許文献１】特開２００４−３１２２８９号公報
【発明の概要】
【０００６】
本発明は上記した点に鑑みてなされたものであり、人等の移動体の位置についての詳細を簡易かつ確実に把握できる移動経過監視システムを提供することを目的とする。
【０００７】
上記目的を達成するため、本発明に係る移動経過監視システムは、所定エリアごとにそれぞれ設けられて、各対応エリア内において通信を可能にする複数の無線アクセスポイントと、各対応エリア内に設置された無線アクセスポイントとの通信を自動的に行う携帯通信端末と、携帯通信端末の無線アクセスポイントへの通信結果に基づく携帯通信端末の移動履歴データを管理するデータ管理部とを備える。
【０００８】
上記移動経過監視システムでは、携帯通信端末が各エリアに設置されている無線アクセスポイントとの通信を自動的に行うことで、携帯通信端末を所持する人等の移動体の位置についての情報を確実に取得し、取得した情報である携帯通信端末の無線アクセスポイントへの通信結果に基づいて、データ管理部において、携帯通信端末の移動履歴データを管理することで、携帯通信端末を所持する人等の移動体の位置についての詳細を、簡易かつ確実に把握できる。
【０００９】
本発明の具体的な側面では、データ管理部は、携帯通信端末の移動履歴データに関して、携帯通信端末と無線アクセスポイントとの通信開始時を、当該無線アクセスポイントに対応する対応エリア内への入場時刻として取り扱う。この場合、無線アクセスポイントとの通信開始を、移動経過監視における経過情報として利用できる。
【００１０】
本発明の別の側面では、データ管理部は、携帯通信端末の移動履歴データに関して、携帯通信端末と無線アクセスポイントとの通信終了時を、当該無線アクセスポイントに対応する対応エリア内からの退場時刻として取り扱う。この場合、無線アクセスポイントとの通信終了を、移動経過監視における経過情報として利用できる。
【００１１】
本発明のさらに別の側面では、データ管理部は、携帯通信端末の移動履歴データを、予め登録されている送付先に対して送信する送信部を備える。この場合、移動履歴データの特定の者への報知が可能になる。例えば、携帯通信端末を保持する子供の親（保護者）に対して、移動履歴データを送信できる。
【００１２】
本発明のさらに別の側面では、データ管理部は、携帯通信端末についてのＩＤ情報に対応する送付先の登録を受け付ける送付先登録受付部を備え、送付先登録受付部において予め登録されている送付先に該当する携帯通信端末の移動履歴データがある場合に、送信部により当該送付先に対して送信する。この場合、例えば移動履歴データについて更新があるごとに送信を行うようにできる。
【００１３】
本発明のさらに別の側面では、データ管理部は、予め登録されている送付先からデータ送信の要請を受けた場合に、携帯通信端末の移動履歴データの送信を開始し、予め登録されている送付先からデータ送信の停止要請を受けた場合に、携帯通信端末の移動履歴データの送信を停止する。この場合、送付先すなわち移動履歴データを受ける側の必要に応じて、移動履歴データの送信を行うようにすることができる。
【００１４】
本発明のさらに別の側面では、データ管理部は、複数の携帯通信端末の移動履歴データを一括管理する。この場合、複数の移動体について、個別の管理や、全体としての傾向データの管理等を行うことができる。
【図面の簡単な説明】
【００１５】
【図１】第１実施形態に係る移動経過監視システムの一例についての概要を説明するための概念図である。
【図２】移動経過監視システムの一構成例について説明するための概念図である。
【図３】移動経過監視システムによる移動経過の監視動作について一例を説明するための概念図である。
【図４】（Ａ）は、移動経過監視システムにおいて予め登録されている情報に関するデータの一例を示すデータ表であり、（Ｂ）は、移動経過に関する各種データの一例を示すデータ表である。
【図５】移動経過監視システムによる移動経過の監視動作の利用態様について一例を説明するための概念図である。
【図６】第２実施形態に係る移動経過監視システムによる移動経過の監視動作について一例を説明するための概念図である。
【図７】（Ａ）は、移動経過監視システムにおいて予め登録されている情報に関するデータの一例を示すデータ表であり、（Ｂ）は、移動経過に関する各種データの一例を示すデータ表である。
【図８】（Ａ）及び（Ｂ）は、一変形例の移動経過監視システムによる移動経過の監視動作について一例を説明するための概念図である。
【発明を実施するための形態】
【００１６】
〔第１実施形態〕
以下、図１等を参照して、本発明の第１実施形態に係る移動経過監視システムについての一例を説明する。図１は、本実施形態に係る移動経過監視システム１００の使用態様の一例として、移動体たる人である子供の移動経過を親等の保護者が確認できるようにするサービスを提供する場合についての概要を説明するための概念図である。
【００１７】
以下、図１を参照して、本実施形態に係る移動経過監視システム１００の概要を説明する。図示のように、移動経過監視システム１００は、移動体たる子供ＣＨの立ち寄り先である所定エリアごとに設けられる設備として、所定エリアごとに設けられる複数の無線アクセスポイントＡＰ，ＡＰ…と、各無線アクセスポイントＡＰ，ＡＰ…との通信を可能にするとともに、各種情報の受付や情報処理を行う中央管理装置５０とを備える。また、移動経過監視システム１００は、子供ＣＨが所持するものとして、携帯通信端末ＭＴを備える。さらに、ここでは、中央管理装置５０から予め登録されているメールアドレスへ各種情報送信がなされるものとなっている。すなわち、図に例示するように、子供ＣＨの保護者である親ＰＡが所持するスマートフォン等の端末１０にメール送信される。
【００１８】
以上における移動経過監視システム１００では、まず、携帯通信端末ＭＴは、各エリアに設置された無線アクセスポイントＡＰとの通信が可能な範囲に到達すると、自動的に通信を開始するように設定されている。例えば、携帯通信端末ＭＴのＩＤ情報等を含む送信情報Ｓ１が、携帯通信端末ＭＴから無線アクセスポイントＡＰに向けて送信される。携帯通信端末ＭＴからの送信を受けた無線アクセスポイントＡＰは、受け付けた情報を、自己のＩＤ情報とともに中央管理装置５０に送信する。中央管理装置５０は、無線アクセスポイントＡＰから送信された情報を処理して、該当する送付先、つまり、携帯通信端末ＭＴを所持する子供ＣＨに対応する親ＰＡのメールアドレスへ、必要な情報を提供する。より具体的には、中央管理装置５０は、携帯通信端末ＭＴについてのＩＤ情報と無線アクセスポイントＡＰのＩＤ情報とから該当する子供ＣＨと存在位置を特定し、その子供ＣＨに対応する親ＰＡに向けて、子供ＣＨの存在位置を存在時間等とともに通知をする。以上により、利用者（特に親ＰＡ）は、携帯通信端末ＭＴを所持する子供ＣＨの位置についての詳細を、簡易かつ確実に把握できる。
【００１９】
なお、上記のような動作を可能とするためには、いくつかの事前登録事項等がなされていることが前提となる。以下、このような前提を含めて、上記のような動作をシステムの全体の流れの概要として説明し直す。まず、予め使用する利用者（子）の携帯通信端末ＭＴのＩＤ情報（ＳＳＩＤ等）が、例えば端末１０等を介した利用者（親）からの申請により中央サーバである中央管理装置５０に登録される。以上の登録を前提としたうえで、まず、利用者（子）が携帯通信端末ＭＴを所持して特定のエリアを通行する。すると、当該エリアに設置された無線アクセスポイントＡＰと携帯通信端末ＭＴが通信するための認証を行う。その結果、認証に成功した携帯通信端末ＭＴのＩＤ情報について、当該無線アクセスポイントＡＰから中央サーバたる中央管理装置５０への通知がなされる。次に、中央サーバたる中央管理装置５０は、登録された保護者である親のメールアドレスへ入場メールを送信する。その後、利用者（子）が携帯通信端末ＭＴを所持して特定のエリアから脱出すると、無線アクセスポイントＡＰと携帯通信端末ＭＴのＩＤ情報について、中央サーバたる中央管理装置５０へ通知がなされる。最後に、中央サーバたる中央管理装置５０は、登録された保護者である親のメールアドレスへ退場メールを送信する。
【００２０】
ここで、上記のようなシステムを考案する上での前提として、近年、児童等の子供を巻き込む凶悪犯罪の増加が懸念されていることがあげられる。上記のような事態への対策のため、子供が登下校する際や駅を通過する際に、子供の所持する専用のＩＣカードを読み取り端末にタッチし、保護者に子供の登下校時刻がメールで配信するシステムが普及しつつある。しかしながら、このような技術においては、例えば利用者（子供）が専用のＩＣカードを所持する必要があり、例えば、子供がカードを翳し忘れることがある。また、子供が、意図的にＩＣカードを翳さなかった場合にも、目的が達成できない。また、ＧＰＳによる位置情報監視システムも検討されているが、ＧＰＳの位置情報監視は、バッテリー消費が激しく、例えば、簡易で軽量な装置で行うには、困難を伴う可能性が高い。
【００２１】
これに対して、本実施形態の移動経過監視システム１００では、上記のように、子供ＣＨが所持する携帯通信端末ＭＴが、各対応エリア内に設置されている無線アクセスポイントＡＰとの通信を自動的に行うことで、携帯通信端末ＭＴを所持する子供ＣＨの位置についての情報を確実に取得し、取得した情報についてデータ管理するデータ管理部である中央管理装置５０において子供ＣＨの移動経過についての詳細を、簡易かつ確実に把握できるので、子供ＣＨの親ＰＡに対して例えばメールで中央管理装置５０から適宜情報を配信することで、親ＰＡは、子供ＣＨの移動経過を的確に知ることができる。
【００２２】
以下、図２等を参照して、上記において概要を説明した移動経過監視システム１００を実現するための構成に関して、より詳細に説明する。なお、図２は、図１に例示するような移動経過監視システム１００の一構成例について説明するための概念図である。
【００２３】
図２等に示すように、また、既述のように、本実施形態に係る移動経過監視システム１００は、携帯通信端末ＭＴと通信可能な複数の無線アクセスポイントＡＰ，ＡＰ…と、各無線アクセスポイントＡＰ，ＡＰ…からの情報を受け付ける中央管理装置５０とを備える。図２の例示では、３つのエリアＤ１〜Ｄ３にそれぞれ対応する３つの無線アクセスポイントＡＰ１〜ＡＰ３が設けられている。すなわち、無線アクセスポイントＡＰ１〜ＡＰ３は、対応するエリアＤ１〜Ｄ３内において、例えばＷｉ−Ｆｉ（Wireless Fidelity、登録商標）等による近距離無線通信による情報の交換が可能となっている。特に、本実施形態では、各エリアＤ１〜Ｄ３内において、携帯通信端末ＭＴがあることを検知すると、これとの通信を開始し、接続されている状態を、携帯通信端末ＭＴが各エリアＤ１〜Ｄ３から外れて通信不能となるまで維持する。また、無線アクセスポイントＡＰ１〜ＡＰ３は、以上のような携帯通信端末ＭＴとの通信記録を、データ管理部である中央管理装置５０に対して、例えばネットワーク回線ＩＮを介して、逐一報告することができる。
【００２４】
携帯通信端末ＭＴは、Ｗｉ−Ｆｉ（登録商標）等による近距離無線通信が可能な種々の携帯端末装置で構成されている。特に、図示の例では、エリアＤ１〜Ｄ３にそれぞれ設置されている無線アクセスポイントＡＰ１〜ＡＰ３との通信を、自動的に開始するように設定されている。なお、接続のさせ方については、種々の方法が適用可能であるが、例えば、安全性を高める等の理由から、予め定められた特定の無線アクセスポイントＡＰ１〜ＡＰ３との間でのみ自動接続を行うように設定してもよい。また、携帯通信端末ＭＴを構成する携帯端末装置としては、典型的には、いわゆるキッズスマホ等のような種々の機能を有する装置が考えられるが、このような高性能なものに限らず、例えば自己のＩＤ情報を無線アクセスポイントに対して送信するだけのような単純な発信器のようなものであってもよい。例えば、１日（２４時間）程度の必要な時間に亘って、Ｗｉ−Ｆｉ（登録商標）等による通信維持が可能であれば、所望の目的を果たし得ると考えられる。小型の発信器であれば、例えば子供が身に着けるもの等に取り付ける、といったことも可能になる。
【００２５】
中央管理装置５０は、システム全体を管理する移動経過監視システム１００の主要部として、各種管理を統括制御する管理部であり、例えば管理用サーバーやＰＣ等で構成され、各種演算処理を行うためのＣＰＵのほか、各種データやプログラムを格納するメモリ等を含む。ここでは、中央管理装置５０は、複数の無線アクセスポイントＡＰ１〜ＡＰ３及びこれらが設置されるエリアＤ１〜Ｄ３についての情報を管理するほか、予め登録されている管理対象たる携帯通信端末ＭＴの情報とこれに対応する送付先の情報等を管理するデータ管理部として機能する。特に、ここでは、中央管理装置５０は、データ管理部として、携帯通信端末ＭＴの無線アクセスポイントＡＰ１〜ＡＰ３への通信結果に基づく携帯通信端末ＭＴの移動履歴データを管理する。このため、中央管理装置５０は、各種情報を格納するデータベース部ＤＢと、各部との通信を行う通信部ＴＡと、各種動作のための判断や指令信号の送信を行う主制御部ＭＣとで構成されている。すなわち、主制御部ＭＣは、データベース部ＤＢや通信部ＴＡに接続され、各種指令をし、データベース部ＤＢや通信部ＴＡは、主制御部ＭＣからの指示に従って動作する。
【００２６】
データベース部ＤＢは、主制御部ＭＣからの指令に従って、通信部ＴＡを介して取得した利用者に関する情報等の各種データをデータベース化して格納し、管理する。例えば、データベース部ＤＢは、携帯通信端末ＭＴのＩＤ情報である登録端末ＩＤと、登録端末ＩＤに関する送付先である登録連絡送付先とを紐付けして、一元管理している。この上で、さらに、各登録端末ＩＤについての無線アクセスポイントへのアクセス状況を示す携帯通信端末ＭＴの移動履歴データや、登録連絡送付先への送付結果、さらには、送付の要否に関する事項等の各種データを格納している。なお、上記のような各種データに関する具体的一例については、図４を参照して、図３に示す監視動作の一例におけるデータ管理として後述する。
【００２７】
通信部ＴＡは、ネットワーク回線ＩＮを介して外部との接続をするためのインターフェース部であり、まず、各エリアＤ１〜Ｄ３に設置されている各無線アクセスポイントＡＰ１〜ＡＰ３と接続され、これらから送信される情報を受け付ける。すなわち、通信部ＴＡは、中央管理装置５０において、各無線アクセスポイントＡＰ１〜ＡＰ３から携帯通信端末ＭＴに関する情報を受ける受信部としての役割を担う。また、通信部ＴＡは、例えば端末１０等からの要請に従って、携帯通信端末ＭＴについてのＩＤ情報の登録や、当該ＩＤ情報に対応する送付先すなわち端末１０で受け取り可能なメールアドレス等の登録を受け付けてこれらをデータベース部ＤＢで格納できるようにする役割も担う。つまり、データベース部ＤＢと協働して送付先登録を受け付ける送付先登録受付部としての役割も担う。さらに、通信部ＴＡは、上記のようにして登録された送付先に対して、データベース部ＤＢで取り扱われる携帯通信端末ＭＴの移動履歴データを送信する送信部としての役割も担う。
【００２８】
以下、図３及び図４を参照して、本実施形態に係る移動経過監視システム１００の一動作例として、携帯通信端末ＭＴを所持する子供ＣＨの行動の経緯（移動経過）を、携帯通信端末ＭＴの各無線アクセスポイントＡＰ，ＡＰ…との通信記録から確認する（監視する）様子について説明する。図３は、移動経過監視システム１００による移動経過の監視動作について一例として、子供ＣＨが、学校ＳＨから自宅ＨＭへ帰宅するまでにおける移動経過を監視するための一連の処理動作の様子を説明するための概念図である。また、図４は、図３の場合において、データ管理部としての中央管理装置５０で取り扱われる各種データに関して例示するものである。具体的には、図４（Ａ）は、移動経過監視システム１００において予め登録されている情報に関するデータの一例を示すデータ表であり、図４（Ｂ）は、移動経過に関する各種データの一例を示すデータ表である。
【００２９】
図３において、まず、前提として、携帯通信端末ＭＴを所持する子供ＣＨは、端末１０を所持する保護者である親ＰＡとの間で事前の登録により紐付けされているものとする。すなわち、図４（Ａ）に例示するデータ表において、対応付けがなされた状態となっているものとする。より具体的には、子供ＣＨに相当する携帯通信端末ＭＴのＩＤ情報が、登録端末ＩＤとして、親ＰＡに相当する端末１０への連絡先であるメールアドレスが、登録連絡送付先として、中央管理装置５０のデータベース部ＤＢ（図２参照）に格納されているものとする。さらに、図４（Ｂ）に示すように、各登録端末ＩＤについては、上記した紐付けされた登録連絡送付先のほか、登録連絡送付先への連絡の要否を定める連絡要求ステータスの情報が格納されている。また、各登録端末ＩＤについて、登録されている各無線アクセスポイントＡＰとの通信履歴の情報、さらには、各無線アクセスポイントＡＰへの入退場、すなわち各無線アクセスポイントＡＰに対応するエリアへの入退場の時刻に関する情報が格納されている。すなわち、これらの情報が、移動履歴データに相当する。また、これらの情報に加え、移動履歴データについての登録連絡送付先への連絡送付済みであるか否かの確認についての情報が格納されている。
【００３０】
以上において、図３の例示では、携帯通信端末ＭＴを所持する子供ＣＨが、矢印ＡＲ１〜ＡＲ５に示すように、４つの無線アクセスポイントＡＰ１〜ＡＰ４に対応する４つのエリアＤ１〜Ｄ４へ移動した様子を示している。つまり、４つのエリアＤ１〜Ｄ４で携帯通信端末ＭＴが検出された様子を示している。より具体的には、子供ＣＨは、学校ＳＨを出発した後、まず、矢印ＡＲ１に示すようにエリアＤ１に立ち寄り、その後、矢印ＡＲ２に示すようにエリアＤ２に立ち寄り、さらに、矢印ＡＲ３に示すようにエリアＤ３に立ち寄り、その後、矢印ＡＲ４に示すようにエリアＤ４に立ち寄って、その後、矢印ＡＲ５に示すように自宅ＨＭへ帰宅した場合を示している。
【００３１】
ここでの例では、各エリアごとに、携帯通信端末ＭＴを検知すると、検知したことを示す情報ＩＭの中央管理装置５０への送信が、対応する無線アクセスポイントによりそれぞれなされる。例えば、子供ＣＨがエリアＤ１に到達すると、携帯通信端末ＭＴがエリアＤ１に設置された無線アクセスポイントＡＰ１と通信を開始する。通信開始とともに、無線アクセスポイントＡＰ１は、当該携帯通信端末ＭＴとの通信が開始された旨を、当該携帯通信端末ＭＴのＩＤ情報及び自己のＩＤ情報とともに中央管理装置５０へ送信する。以上に対して、中央管理装置５０は、携帯通信端末ＭＴと無線アクセスポイントＡＰ１との通信開始時を、無線アクセスポイントＡＰ１に対応するエリアＤ１内への子供ＣＨの入場時刻として取り扱う。すなわち、中央管理装置５０は、上記内容をデータベース部ＤＢ（図２参照）に格納するとともに、格納した情報を、携帯通信端末ＭＴに対応する送付先である端末１０へ連絡する。
【００３２】
携帯通信端末ＭＴと無線アクセスポイントＡＰ１とは、子供ＣＨがエリアＤ１に滞在し、通信可能な状態が続いている間は、この状態を維持する。その後、子供ＣＨがエリアＤ１を去って、携帯通信端末ＭＴがエリアＤ１に設置された無線アクセスポイントＡＰ１と通信不能になると、無線アクセスポイントＡＰ１は、当該携帯通信端末ＭＴとの通信が途絶えた旨を、当該携帯通信端末ＭＴのＩＤ情報及び自己のＩＤ情報とともに中央管理装置５０へ送信する。以上に対して、中央管理装置５０は、携帯通信端末ＭＴと無線アクセスポイントＡＰ１との通信終了時を、無線アクセスポイントＡＰ１に対応するエリアＤ１内からの子供ＣＨの退場時刻として取り扱う。すなわち、中央管理装置５０は、上記内容をデータベース部ＤＢ（図２参照）に格納するとともに、格納した情報を、携帯通信端末ＭＴに対応する送付先である端末１０へ連絡する。
【００３３】
他の無線アクセスポイントＡＰ２〜ＡＰ４においても、同様の態様とすることで、例えば、図４（Ｂ）に例示するような各無線アクセスポイントＡＰあるいはこれに対応するエリアにおける子供ＣＨの入退場の様子が確認できる。
【００３４】
なお、以上について、見方を変えると、データ管理部である中央管理装置５０は、まず、送付先登録受付部として、携帯通信端末ＭＴについてのＩＤ情報に対応する送付先の登録を受け付けて登録を行う。また、中央管理装置５０は、受付を行った結果として予め登録されている送付先に対して、該当する携帯通信端末ＭＴの移動履歴データに更新があると、その都度、送信部としての通信部ＴＡにより、該当する送付先に対して送信を行っている。
【００３５】
また、以上において、無線アクセスポイントＡＰ１〜ＡＰ４を設置するエリアＤ１〜Ｄ４については、種々の場所が考えられる。例えば、駅の構内やバス停等のほか、コンビニエンスストア等の店舗、あるいは、塾や各種習い事の教室等に設置することができる。図３及び図４（Ｂ）の例示であれば、学校ＳＨの最寄り駅（エリアＤ１）から電車に乗り、塾の最寄り駅（エリアＤ２）で降りて、コンビニエンスストア（エリアＤ３）に立ち寄り、現在、塾（エリアＤ４）にいる、といった具合に、移動経過が確認できる。
【００３６】
以上のように、本実施形態に係る移動経過監視システム１００では、携帯通信端末ＭＴが各エリアに設置されている無線アクセスポイントＡＰとの通信を自動的に行うことで、携帯通信端末ＭＴを所持する子供ＣＨといった人等の移動体の位置についての情報を確実に取得し、取得した情報である携帯通信端末ＭＴの無線アクセスポイントＡＰへの通信結果に基づいて、データ管理部である中央管理装置５０において、携帯通信端末ＭＴの移動履歴データを管理することで、携帯通信端末ＭＴを所持するあるいは保有する子供ＣＨといった人等の移動体の位置についての詳細を、簡易かつ確実に把握できる。
【００３７】
また、上記の場合、例えば、ゲームセンターなど子供に立ち入って欲しくない場所に無線アクセスポイントを配置することで、非行行動の監視などに利用することも考えられる。
【００３８】
また、上記の場合、専用のＩＣカード等を要せず、例えば既に子供が所持しているスマートフォン等を上記機能を有する携帯通信端末ＭＴとすることができる。
【００３９】
また、上記の場合、子供の所持する専用のＩＣカードを読み取り端末にタッチする場合と異なり、子供のカードタッチ忘れや、意図的な不作為にも対応でき、さらに、エリア内での滞在時間情報を得ることも可能である。
【００４０】
以下、図５を参照して、移動経過監視システム１００の他の利用方法について一例を説明する。図５は、移動経過監視システム１００による移動経過の監視動作の利用態様について一例を説明するための概念図であり、図３に対応する図である。
【００４１】
上記のような親が子供を見守るために、移動経過監視システム１００を利用する場合では、例えば親と子供が一緒にいる場合等であれば、情報の提供を要しない、ということが考えられる。この場合、例えば、親の保有する端末１０からのデータ送信の停止要請を中央管理装置５０において受け付け可能な態様としておくことで、対応できる。例えば、図４（Ｂ）の例であれば、登録連絡送付先への連絡の要否を定める連絡要求ステータスの欄において、要否を選択できるようにしておけばよい。すなわち、データ管理部である中央管理装置５０は、予め登録されている送付先からデータ送信の要請を受けた場合に、携帯通信端末ＭＴの移動履歴データの送信を開始し、予め登録されている送付先からデータ送信の停止要請を受けた場合に、携帯通信端末ＭＴの移動履歴データの送信を停止するようにしておくことが考えられる。ところで、例えば親と子供が一緒にいる場合において、子供がはぐれて迷子になってしまった場合には、停止させていたデータ送信について急遽要請を行いたい、ということになる。このような場合、例えば、図示のように、端末１０からデータ送信の開始要請を行うと、中央管理装置５０は、各無線アクセスポイントＡＰから取得した情報に基づいて、携帯通信端末ＭＴの移動履歴データを端末１０へ送信することで、携帯通信端末ＭＴの存在地、すなわち子供ＣＨの居場所を特定できる。この際、例えばショッピングモール等の施設に来ていて、施設内のどこかに子供ＣＨがいることが明らかであれば、例えば当該施設内というように確認する対象範囲ＯＡを限定し（図示の例では５つの無線アクセスポイントＡＰ１〜ＡＰ５に対応する５つのエリアＤ１〜Ｄ５に限定）、限定された範囲内で情報をもらうようにしたり、あるいは、移動履歴データの時間範囲を指定して情報をもらうようにしたりしてもよい。
【００４２】
〔第２実施形態〕
以下、図６及び図７を参照して、第２実施形態に係る移動経過監視システムについて説明する。なお、本実施形態は、第１実施形態の移動経過監視システムの変形例であり、監視対象や、移動履歴データの取り扱い以外については、第１実施形態の場合と同様であるので、各構成の詳しい説明については省略する。
【００４３】
図６は、本実施形態に係る移動経過監視システム２００による移動経過の監視動作について一例を説明するための概念図であり、図３に対応する図である。また、図７は、データ管理部としての中央管理装置２５０で取り扱われる各種データに関して例示するものであり、図４に対応する図である。すなわち、図７（Ａ）は、移動経過監視システム２００において予め登録されている情報に関するデータの一例を示すデータ表であり、図７（Ｂ）は、移動経過に関する各種データの一例を示すデータ表である。
【００４４】
本実施形態では、一例として、監視の対象たる移動体が家畜になっている。ここでは、より具体的な一例として、牧場に放している牛あるいは乳牛を対象とする。すなわち、一頭一頭の牛ＣＷ，ＣＷ…に、携帯通信端末ＭＴ，ＭＴ…を取り付けて、これらの行動を、中央管理装置２５０において一括管理及び監視をしている。
【００４５】
この場合においては、まず、前提として、図７（Ａ）に例示するように、牛ＣＷ，ＣＷ…に取り付けた携帯通信端末ＭＴ，ＭＴ…のデータが、予め中央管理装置２５０に格納されているものとする。なお、ここでは、データ管理上、各牛に取り付けた携帯通信端末ＭＴを特定するための牛ＩＤが付けられているものとする。なお、例えば牛の名前や特徴と牛ＩＤを紐付けして管理することが考えられる。さらに、図７（Ｂ）に示すように、各牛ＩＤについて、登録されている各無線アクセスポイントＡＰとの通信履歴の情報、さらには、各無線アクセスポイントＡＰへの入退場、すなわち各無線アクセスポイントＡＰに対応するエリアへの入退場の時刻に関する情報が格納されている。さらに、ここでは、これらの事項に加え、推定移動距離や、水飲み場滞在時間、あるいは牧草地滞在時間等の情報が格納されている。これらを管理することで、例えば、各牛ＣＷについて、栄養、運動、休憩等が十分な状態であるか否かを把握できる。
【００４６】
例えば、図６に示す例では、４つの無線アクセスポイントＡＰ１〜ＡＰ４に対応する４つのエリアＤ１〜Ｄ４のうち、エリアＤ１が牛舎のある場所であり、エリアＤ２が水飲み場であり、エリアＤ３，Ｄ４が牧草地である。移動経過監視システム２００では、牛ＣＷを利用して、各牛ＣＷの行動を逐一観察し、データ化している。例えば、上記４つのエリアＤ１〜Ｄ４間の距離ＤＳ１〜ＤＳ６に基づいて、各牛の合計の推定移動距離が算出され、また、エリアＤ２の滞在時間を合計することで、水飲み場滞在時間が算出される。同様に、エリアＤ３及びエリアＤ４の滞在時間を合計することで、牧草地滞在時間が算出される。なお、上記は、例示であり、無線アクセスポイントＡＰの設置態様により、用途に応じて種々の情報を取得することが考えらえる。
【００４７】
また、この場合、個々の牛ＣＷの行動を確認するのみならず、管理する複数の牛ＣＷ，ＣＷ…全体についての統計的データに基づいて、管理を行ったり、全体としての傾向についてのデータを取得したりすることも可能である。
【００４８】
以上のように、本実施形態では、データ管理部である中央管理装置２５０により、複数の携帯通信端末ＭＴ，ＭＴ…の移動履歴データ、すなわち複数の牛ＣＷ，ＣＷ…の移動履歴データを一括管理している。これにより、複数の移動体である家畜等について、個別の管理や、全体としての傾向データの管理等を行うことができる。
【００４９】
〔その他〕
この発明は、上記の上記各実施形態に限られるものではなく、その要旨を逸脱しない範囲において種々の態様で実施することが可能である。
【００５０】
まず、上記のような態様のほか、例えば、図８において概念的に示す一変形例の移動経過監視システム３００のように、入退出の管理において本願発明を適用することも考えられる。すなわち、入退場ゲートＧＴの近辺に、アクセス可能なエリアＤＤを形成する無線アクセスポイントＡＰを設けることで、携帯通信端末ＭＴを保持する移動体たる通過者の入退場を確認するものとしてもよい。なお、図示の例では、企業において出勤状況を管理するためのタイムカードとして機能させるべく、出勤時間帯においては、図８（Ａ）に示すように、矢印ＡＷ１の方向から通過する携帯通信端末ＭＴすなわちこれを保持する従業員を検知し、中央管理装置３５０は、当該携帯通信端末ＭＴに対応する従業員たる登録者の登録者ＩＤの欄に出勤時刻を刻印する。一方、退社時間帯においては、図８（Ｂ）に示すように、矢印ＡＷ２の方向から通過する携帯通信端末ＭＴすなわちこれを保持する従業員を検知し、中央管理装置３５０は、当該携帯通信端末ＭＴに対応する従業員たる登録者の登録者ＩＤの欄に退社時刻を刻印する。なお、図示を省略するが、例えば、入退場ゲートＧＴに近い側と遠い側との２箇所に離間して２つのアクセス可能なエリアを２つの無線アクセスポイントにより形成することで、検知される順番を確認することで、携帯通信端末ＭＴの移動方向が、矢印ＡＷ１の方向であるか矢印ＡＷ２の方向であるかを検知できるようにしてもよい。
【００５１】
また、例えば、第１実施形態において、端末１０側から予めエリアと時間とを指定しておき、指定時間になっても、指定エリアに該当する携帯通信端末ＭＴが存在していることが確認されない場合には、中央管理装置５０からその旨を送付先である端末１０に送付することが可能であるようにしてもよい。
【００５２】
また、中央管理装置からの予め登録されている送付先に対する送信についても、ネットワーク回線を利用したメール送信に限らず、ＳＮＳ等を利用した連絡等、種々の態様が考えられる。
【符号の説明】
【００５３】
１０…端末、５０…中央管理装置、１００…移動経過監視システム、２００…移動経過監視システム、２５０…中央管理装置、３００…移動経過監視システム、３５０…中央管理装置、ＡＰ，ＡＰ１〜ＡＰ５…無線アクセスポイント、ＡＲ１〜ＡＲ５，ＡＷ１，ＡＷ２…矢印、ＣＨ…子供、ＣＷ…牛、ＤＤ，Ｄ１〜Ｄ５…エリア、ＤＢ…データベース部、ＤＳ１〜ＤＳ６…距離、ＧＴ…入退場ゲート、ＨＭ…自宅、ＩＭ…情報、ＩＮ…ネットワーク回線、ＭＣ…主制御部、ＭＴ…携帯通信端末、ＯＡ…対象範囲、ＰＡ…親、Ｓ１…送信情報、ＳＨ…学校、ＴＡ…通信部
【図１】
2019186678.tif 000003
【図２】
2019186678.tif 000004
【図３】
2019186678.tif 000005
【図４】
2019186678.tif 000006
【図５】
2019186678.tif 000007
【図６】
2019186678.tif 000008
【図７】
2019186678.tif 000009
【図８】
2019186678.tif 000010